(57)【要約】【課題】皮膚血流量の変化をフィードバックして皮膚の状態に応じた適切な光照射美容を行う。【解決手段】肌の美容のための光を皮膚に対して照射する光源部２と、光源部２からの光が照射される皮膚の血流量を検出する皮膚血流量検知手段３と、皮膚血流量検知手段で得られた皮膚血流量データに基づいて光源部の光出力を制御する制御手段４とを備える。光照射による皮膚血流量変化に応じて光照射が制御される。【選択図】図１
2009028268.tif 000002
【特許請求の範囲】
【請求項１】
肌の美容のための光を皮膚に対して照射する光源部と、光源部からの光が照射される皮膚の血流量を検出する皮膚血流量検知手段と、皮膚血流量検知手段で得られた皮膚血流量データに基づいて光源部の光出力を制御する制御手段とを備えていることを特徴とする光照射美容器具。
【請求項２】
制御手段は皮膚血流量検知手段の出力から皮膚血流量検知手段が皮膚に接触しているか否かを判断して接触していないと判断された時に光源部からの光出力を停止させるものであることを特徴とする請求項１記載の光照射美容器具。
【請求項３】
皮膚血流量検知手段は皮膚血流量を非接触で測定する非接触式のものであることを特徴とする請求項１記載の光照射美容器具。
【発明の詳細な説明】
【技術分野】
【０００１】
本発明は、肌の美容のために肌に対して光を照射する光照射美容器具に関するものである。
【背景技術】
【０００２】
光を照射することで肌の美容を図る光照射美容器具には、照射する光としてレーザー光を用いるもの、低出力の非コヒーレント光を用いるもの等、各種存在しているが、この光照射に際し、皮膚の色を検出して肌の色に応じて光照射時間を制御するもの（特許文献１）があるとともに、皮膚表面の電磁波に対応するインレット信号によって光照射をフィードバック制御するもの（特許文献２）がある。
【０００３】
しかし、前者においては光照射中の皮膚の状態変化に応じた光照射制御を行うことができないという問題を有している。また、後者においてはフィードバック制御がなされるとはいえ、光照射による血流量の変化をフィードバックすることはできない。
【特許文献１】特開平５−１４６５１７号公報
【特許文献２】特開平９−２８５５２０号公報
【発明の開示】
【発明が解決しようとする課題】
【０００４】
本発明は上記の従来の問題点に鑑みて発明したものであって、皮膚血流量の変化をフィードバックすることができて、皮膚の状態に応じた適切な光照射美容を行うことができる光照射美容器具を提供することを課題とするものである。
【課題を解決するための手段】
【０００５】
上記課題を解決するために本発明に係る光照射美容器具は、肌の美容のための光を皮膚に対して照射する光源部と、光源部からの光が照射される皮膚の血流量を検出する皮膚血流量検知手段と、皮膚血流量検知手段で得られた皮膚血流量データに基づいて光源部の光出力を制御する制御手段とを備えていることに特徴を有している。光照射による皮膚血流量変化に応じて光照射が制御されるものである。
【０００６】
制御手段は皮膚血流量検知手段の出力から皮膚血流量検知手段が皮膚に接触しているか否かを判断して接触していないと判断された時に光源部からの光出力を停止させるものが好ましい。
【０００７】
また、皮膚血流量検知手段は皮膚血流量を非接触で測定する非接触式のものを好適に用いることができる。
【発明の効果】
【０００８】
本発明は、光照射による皮膚血流量変化に応じて光照射が制御されるために、皮膚の状態変化に応じた適切な光照射を行うことができる。
【発明を実施するための最良の形態】
【０００９】
以下、本発明を添付図面に示す実施形態に基いて説明すると、図１は手持ち式の光照射美容器具を示しており、手で持つことができるサイズに形成されているハウジング１の一端側には光源部２と皮膚血流量検知手段である血流量センサ３とが配設され、ハウジング１内には上記光源部２からの光出力を制御する制御部４と、報知部５とが配設されている。
【００１０】
上記光源部２は、光源２０と、その光照射用開口部内に配した光透過性材からなるカバー２１とからなるもので、このカバー２１には、集光や光拡散といったレンズの機能や波長カットの機能をもたせたものを用いることができる。上記光源２０としてはどのようなものを用いるものであってもよいが、ここでは低出力の非コヒーレント光を出力するものを用いている。
【００１１】
また、上記血流量センサ３は、上記光照射用開口部の周縁に配置されて光照射用開口部を皮膚に接触させた時に同時に皮膚に接触して皮膚の血流量を検出するもので、図２に示すように、センサ部３０とこのセンサ３０を付勢するばね３１とからなり、皮膚に押し当てた時、センサ部３０と皮膚との接触圧がほぼ一定に保たれる。
【００１２】
上記センサ部３０は、レーザ光を皮膚に向けて出力するとともに皮膚組織や血球からの散乱で表皮まで戻ってきた散乱光を受光し、この時、動いている赤血球で散乱された光は周波数遷移（ドップラーシフト）が生じるが、この遷移の程度から組織内の血流量（血液量×速度）を求めるものである。なお、動いていない組織の散乱光は入射光と同周波数であるために除外することができる。図２中の３０ａはレーザ光投射部、３０ｂは散乱光受光部である。
【００１３】
光を照射したい部分の皮膚に光照射用開口部を押し当ててスイッチを投入すれば、光源部２の光源２０が点灯して皮膚に対する光照射を開始すると同時に、血流量センサ３によって皮膚血流量を測定する。光照射が皮膚に対して有効に作用している場合、皮膚の血流量が増加することになるが、所定時間間隔（例えば１分間隔）での血流量測定で、例えば５分後に所定の血流量増加が検出されなければ、光源部２からの光の光照射強度を１．５倍とし、十分な血流量増加が得られている場合は光照射を停止する。
【００１４】
また制御部４は、上記のような光出力制御に際し、上記報知部５（たとえばスピーカや報知ランプ）を作動させることで、光照射出力を変化させていることを使用者に対して報知する。
【００１５】
照射完了時は再びスイッチを操作することで、制御部４を介して光源部２や血流量センサ３の動作を停止させる。制御部４にタイマー機能を搭載して、使用開始から例えば２０分間で自動的に照射を停止させるようにしても良い。
【００１６】
皮膚血流量検知の間隔を少なくとも１秒以下もしくは常時検出するものとし、検出される皮膚血流量がほぼゼロとなった時には、光照射用開口部が皮膚から離れたとして光照射出力を停止させるようにしてもよい。光照射用開口部が皮膚から離れた場合、光が漏れ出ることになるとともに、この光で目を痛めることがあるが、この時には光照射が停止されるために、安全性が増すものであり、また、別途安全装置のセンサを追加しなくても誤照射の危険を防ぐことができる。
【００１７】
皮膚と接触することになる部分は血流量センサ３の部分を除いて皮膚の凹凸形状（曲面を含む）に追従する弾性素材、例えばウレタンスポンジで形成しておくと、更に光が漏れ出ることを防ぐことができる。
【００１８】
レーザードップラー式血流量センサ３としては、非接触式のものも提供されているが、これを用いる場合は、光照射時に皮膚血流量センサ３を肌に接触させておく煩わしさがないものを得ることができる。図３はこのような非接触式の血流量センサ３を用いた光照射美容器具の一例を示しており、机上などに置いた状態で用いられる本体部１０に対して光源部２は可動式アーム１１でその光照射方向が可変となっていて、使用者は任意の姿勢で光源部２からの光照射を顔面等の皮膚に受けることができる。なお、上記血流量センサ３は光源部２の表面に配設されている。可動式アーム１１を介さずに本体部１０に対して光源部２を角度調整自在に取り付けたものであってもよい。
【図面の簡単な説明】
【００１９】
【図１】本発明の実施の形態の一例の概略断面図である。
【図２】同上の血流量センサを示すもので、(a)は断面図、(b)はセンサ部の斜視図である。
【図３】他例を示すもので、(a)は光源部の斜視図、(b)(c)は側面図である。
【符号の説明】
【００２０】
２  光源部
３  血流量センサ
４  制御部
５  報知部
【図１】
2009028268.tif 000003
【図２】
2009028268.tif 000004
【図３】
2009028268.tif 000005